(57)【特許請求の範囲】
【請求項１】
移動通信システム（Ｍｏｂｉｌｅ  Ｃｏｍｍｕｎｉｃａｔｉｏｎ  Ｓｙｓｔｅｍ）に用いるベーストランシーバーステーション（Ｂａｓｅ  Ｔｒａｎｓｃｅｉｖｅｒ  Ｓｔａｔｉｏｎ）内のＮ個（Ｎは正の整数）のセクターに周波数割り当て（Ｆｒｅｑｕｅｎｃｙ  Ａｌｌｏｃａｔｉｏｎ）を行うにあたり、動的周波数割り当ての個数と固定周波数割り当ての個数を決定する手段と、マルチキャリア出力増幅器（Ｍｕｌｔｉ−Ｃａｒｒｉｅｒ  Ｐｏｗｅｒ  Ａｍｐｌｉｆｉｅｒｓ）を備えた電力分配器／合成器のアレイと、上記動的周波数割り当てを上記マルチキャリア出力増幅器にセクター間で相互にスイッチング可能に連結する手段とを含むことを特徴とする無線通信システムにおける周波数割り当てシステム。
【請求項２】
動的周波数割り当てと固定周波数割り当てを合成し、動的周波数割り当て個数の出力信号を出力するための合成器アレイをさらに含むことを特徴とする請求項１記載の無線通信システムにおける周波数割り当てシステム。
【請求項３】
上記各々の電力分配器／合成器は、対応する出力信号を増幅することを特徴とする請求項２記載の無線通信システムにおける周波数割り当てシステム。
【請求項４】
上記各々の電力分配器／合成器が、上記対応する信号をセクター間で相互にスイッチング可能に分配するためのスイッチング可能な分配器と、上記分配された信号を増幅するための多数個の上記マルチキャリア出力増幅器と、上記増幅された信号をセクター間で相互にスイッチング可能に合成するためのスイッチング可能な合成器とを備えることを特徴とする請求項３記載の無線通信システムにおける周波数割り当てシステム。
【請求項５】
上記電力分配器／合成器が、上記対応する信号を上記電力分配器／合成器内の上記マルチキャリア出力増幅器に選択的に連結するための第１スイッチと、上記増幅された信号を上記セクター増幅器内の上記スイッチング可能な合成器に選択的に連結するための第２スイッチとをさらに備えることを特徴とする請求項４記載の無線通信システムにおける周波数割り当てシステム。
【請求項６】
上記電力分配器／合成器中に入力された信号間の干渉を防止するための絶縁抵抗アレイをさらに含むことを特徴とする請求項５記載の無線通信システムにおける周波数割り当てシステム。
【請求項７】
上記信号の位相をマッチングさせるための位相遅延器（Ｐｈａｓｅ  Ｓｈｉｆｔｅｒ）アレイをさらに備えることを特徴とする請求項６記載の無線通信システムにおける周波数割り当てシステム。
【請求項８】
ｊ個（ｊは正の整数）の周波数が選択された電力分配器／合成器に割り当てられれたとき、上記対応するスイッチング可能な分配器及び合成器はｊ−ウェイ（ｊ−ｗａｙ）で動作することを特徴とする請求項４記載の無線通信システムにおける周波数割り当てシステム。
【請求項９】
ｊ個（ｊは正の整数）の周波数が選択された電力分配器／合成器に割り当てられれたとき、それぞれの周波数割り当て出力レベルが、その選択された電力分配器／合成器出力端子と同じ出力レベルであることを特徴とする請求項８記載の無線通信システムにおける周波数割り当てシステム。
【請求項１０】
移動通信システムに用いるベーストランシーバーステーション（Ｂａｓｅ Ｔｒａｎｓｃｅｉｖｅｒ Ｓｔａｔｉｏｎ）内のＮ個（Ｎは正の整数）のセクターに周波数割り当て（Ｆｒｅｑｕｅｎｃｙ Ａｌｌｏｃａｔｉｏｎ）を行うにあたり、Ｎ個のセクターをＭ個（Ｍは正の整数）の小グループに分け、さらに小グループに対して動的周波数割り当て個数Ｄと固定周波数割り当て個数Ｆを決定するコントローラと、動的周波数割り当てを合成器アレイに選択的にスイッチングするＤ個の第１スイッチと、上記各々の小グループの上記動的周波数割り当て個数Ｄと固定周波数割り当て個数Ｆを合成し、Ｄ個の出力信号を出す合成器と、Ｄ個のセクター間で相互にスイッチング可能な電力分配器／合成器とを含み、前記スイッチング可能な電力分配器／合成器がマルチキャリア出力増幅器を備え、前記動的周波数割り当てをマルチキャリア出力増幅器にセクター間で相互にスイッチング可能に連結し、入力される信号を同じ電力レベルに増幅することを特徴とする無線通信システムにおける周波数割り当てベースステーション。
【請求項１１】
各々のセクターに対応するコール要求情報（Ｃａｌｌ  Ｒｅｑｕｅｓｔ  Ｉｎｆｏｒｍａｔｉｏｎ）を利用して上記コントローラがＮ、Ｍ、ｄ及びｆを計算することを特徴とする請求項１０記載の無線通信システムにおける周波数割り当てベースステーション。
【請求項１２】
上記コール要求情報は、モバイルスイッチングセンター（Ｍｏｂｉｌｅ  Ｓｗｉｔｃｈｉｎｇ  Ｃｅｎｔｅｒ）から得ることを特徴とする請求項１１記載の無線通信システムにおける周波数割り当てベースステーション。
【請求項１３】
ターゲットベースステーションの各セクター内に位置する加入者数を利用してＮ、Ｍ、ｄ及びｆを計算することを特徴とする請求項１２記載の無線通信システムにおける周波数割り当てベースステーション。
【請求項１４】
上記加入者数に対する情報をモバイルスイッチングセンターから得ることを特徴とする請求項１３記載の無線通信システムにおける周波数割り当てベースステーション。
【請求項１５】
上記コントローラを上記ベーストランシーバーステーション内に置くことを特徴とする請求項１０記載の無線通信システムにおける周波数割り当てベースステーション。
【請求項１６】
上記コントローラをコールコントロールプロセッサー（Ｃａｌｌ  Ｃｏｎｔｒｏｌ  Ｐｒｏｃｅｓｓｏｒ）内に置くことを特徴とする請求項１０記載の無線通信システムにおける周波数割り当てベースステーション。
【請求項１７】
上記固定周波数が、上記合成器全てに割り当てられることを特徴とする請求項１０記載の無線通信システムにおける周波数割り当てベースステーション。
【請求項１８】
上記スイッチング可能な電力分配器／合成器が、各々がその自体に入力される信号を多数個の分配された信号に分配するｄ個のセクター間で相互にスイッチング可能な電力分配器と（ここで、各々のスイッチング可能な電力分配器は、分配された信号の個数を調節し得る）、上記分配された信号を増幅するためのマルチキャリア出力増幅器と、各々がその自体に入力された多数の信号を一つの出力信号に合成するｆ個のスイッチング可能な電力合成器と（ここで、各々のスイッチング可能な電力合成器は、入力信号の個数を調節し得る）、を含むことを特徴とする請求項１０記載の無線通信システムにおける周波数割り当てベースステーション。
【請求項１９】
上記ｊ個（ｊは正の整数）の周波数が選択されたセクターに割り当てられたとき、対応するスイッチング可能な電力分配器及び合成器はｊ−ウェイに動作することを特徴とする請求項１８記載の無線通信システムにおける周波数割り当てベースステーション。
【請求項２０】
上記マルチキャリア出力増幅器の個数は、ｄとｆの和であって、全体周波数割り当ての個数であることを特徴とする請求項１８記載の無線通信システムにおける周波数割り当てベースステーション。
【請求項２１】
上記スイッチング可能な電力分配器／合成器が、上記スイッチング可能な電力分配器から上記マルチキャリア出力増幅器に上記分配された信号を選択的にスイッチングするためのｄ個の第２スイッチと、上記マルチキャリア出力増幅器によって増幅された信号を上記スイッチング可能な電力合成器に選択的にスイッチングするためのｄ個の第３スイッチとを備える請求項１８記載の無線通信システムにおける周波数割り当てベースステーション。
【請求項２２】
上記各々のスイッチング可能な電力分配器は、入力信号を受信するための入力端と、共通ノードと、Ｋ個（Ｋは正の整数）の第１伝送線と、Ｋ個の第２伝送線と、上記第１及び第２伝送線の間に位置し、各々が対応する第１及び第２伝送線に各々電気的に連結されたＫ個の絶縁素子と、Ｋ個の出力信号を出力するため、各々が対応する絶縁素子及び第１、または第２伝送線間の一部分に連結されるＫ個の出力端と、上記入力信号を上記第１伝送線に選択的にスイッチングするためのＫ個の第４スイッチと、上記第１スイッチに基づいて上記共通ノードを上記第２伝送線に選択的にスイッチングするためのＫ個の第５スイッチとを備える請求項１８記載の無線通信システムにおける周波数割り当てベースステーション。
【請求項２３】
上記ｋは、ｆ／ｄ＋ｄであることを特徴とする請求項２２記載の無線通信システムにおける周波数割り当てベースステーション。
【請求項２４】
上記各々の合成器が、出力信号を出力するための出力端と、共通ノードと、ｋ個（ｋは正の整数）の第１伝送線と、ｋ個の第２伝送線と、上記第１及び第２伝送線の間に位置し、各々が対応する第１及び第２伝送線に電気的に連結するｋ個の絶縁素子と、ｋ個の入力信号を受信するため、各々が対応する絶縁素子と第１、または第２伝送線間に連結するｋ個の入力端と、上記入力信号を上記第１伝送線に選択的にスイッチングするためのｋ個の第６スイッチと、上記第１スイッチに基づいて、上記共通ノードを上記第２伝送線に選択的にスイッチングするためのｋ個の第７スイッチとを備えることを特徴とする請求項２３記載の無線通信システムにおける周波数割り当てベースステーション。
【請求項２５】
各々の周波数割り当ての電力レベルは、上記スイッチング可能な合成器の出力端の各々において同じ値を有することを特徴とする請求項２４記載の無線通信システムにおける周波数割り当てベースステーション。
【請求項２６】
上記第１及び第３スイッチの各々は、ｄと同じ出力端の個数を有することを特徴とする請求項２４記載の無線通信システムにおける周波数割り当てベースステーション。
【請求項２７】
上記第２スイッチの各々は、ｄと同じ入力端の個数を有することを特徴とする請求項２６に記載無線通信システムにおける周波数割り当てベースステーション。
【請求項２８】
上記マルチキャリア出力増幅器に電気的に連結され、上記小グループ内の上記セクター各々に伝送するため、各々が上記増幅された信号を無線周波数（Ｒａｄｉｏ  Ｆｒｅｑｕｅｎｃｙ）信号に変換するｄ個のアンテナをさらに含むことを特徴とする請求項１８に記載の無線通信システムにおける周波数割り当てベースステーション。
【請求項２９】
各々の合成器に入力される信号間の干渉を防止するため、ｋ個の絶縁抵抗をさらに含むことを特徴とする請求項２３記載の無線通信システムにおける周波数割り当てベースステーション。
【請求項３０】
その自体に入力される信号の位相を調節するため、上記各々の合成器の前にｋ個の位相遅延器をさらに含むことを特徴とする請求項２５記載の無線通信システムにおける周波数割り当てベースステーション。
【請求項３１】
ＩＭＴ２０００通信システムに用いるベーストランシーバーステーションに適用するため、Ｎが６であることを特徴とする請求項１０記載の無線通信システムにおける周波数割り当てベースステーション。
【請求項３２】
無線通信システムに用いるベーストランシーバーステーション（Ｂａｓｅ  Ｔｒａｎｓｃｅｉｖｅｒ  Ｓｔａｔｉｏｎ）内のＮ個（Ｎは正の整数）のセクターに周波数を割り当てる方法において、ａ）加入者情報に基づいて、Ｎ個のセクターをＭ個（Ｍは正の整数）の小グループに分けるステップと、ｂ）上記加入者情報に基づいて、上記各々の小グループに対して動的周波数割り当て個数ｄと、固定周波数割り当て個数ｆを決定するステップと、ｃ）スイッチの個数、セクター間で相互にスイッチング可能な電力分配器／合成器の個数及び上記動的周波数割り当て個数、及び上記固定周波数割り当て個数に基づいて、端子数を設定するステップを含むことを特徴とする周波数割り当て方法。
【請求項３３】
増幅ステップｄ）が、ｄ１）固定合成器アレイを利用して、上記動的周波数割り当て個数及び固定周波数割り当て個数を合成するステップと、ｄ２）セクター間で相互にスイッチング可能な分配器アレイを利用して、上記合成された周波数割り当て個数をスイッチング可能に分配するステップと、ｄ３）多数個のマルチキャリア出力増幅器を利用して、上記合成された信号を増幅するステップと、ｄ４）スイッチング可能な合成器アレイを利用して、上記増幅された周波数割り当てを、対応する小グループ内のセクターに送られるｓ＃の出力信号に各々合成するステップと（ｓ＃は、小グルーピング当たり全体周波数割り当て個数）を備えることを特徴とする請求項３２記載の周波数割り当て方法。
【請求項３４】
固定合成器の個数は、動的周波数割り当て個数と同じであることを特徴とする請求項３３記載の周波数割り当て方法。
【請求項３５】
各々の固定合成器の入力端個数が、ｋ＝ｆ＃／ｄ＃＋ｄ＃（ここで、ｋ、ｆ＃、ｄ＃は、それぞれ固定合成器当たりの入力端の個数、固定周波数割り当て個数、動的周波数割り当て個数を各々表す）によって定義されることを特徴とする請求項３４記載の周波数割り当て方法。
【請求項３６】
マルチキャリア出力増幅器の個数は、ｆ＃とｄ＃との和であるｓ＃と同じであることを特徴とする請求項３５記載の周波数割り当て方法。
【請求項３７】
上記ｆ＃／ｄ＃が１より大きいことを特徴とする請求項３６記載の周波数割り当て方法。
【請求項３８】
上記スイッチング可能な電力分配器及び合成器の各々が最大動作モードでｄ＃−ウェイに動作することを特徴とする請求項３５記載の周波数割り当て方法。
【請求項３９】
ｊ個の周波数が選択されたセクターに割り当てられたとき、対応するスイッチング可能な分配器及び合成器がｊ−ウェイ（ｊは正の整数）に動作することを特徴とする請求項３３記載の周波数割り当て方法。
【請求項４０】
上記加入者情報は、各セクターに対応するコール要求情報であることを特徴とする請求項３２記載の周波数割り当て方法。
【請求項４１】
上記コール要求情報をモバイルスイッチングセンターから受信されることを特徴とする請求項４０記載の周波数割り当て方法。
【請求項４２】
上記加入者情報は、ターゲットベースステーションの各セクター内に位置した加入者の数であることを特徴とする請求項３２記載の周波数割り当て方法。
【請求項４３】
上記加入者数に対する情報は、モバイルスイッチングセンターから受信されることを特徴とする請求項４２記載の周波数割り当て方法。
【請求項４４】
ＩＭＴ２０００通信システムに用いるベーストランシーバーステーションに応用するため、Ｎが６であることを特徴とする請求項３２記載の周波数割り当て方法。
【発明の詳細な説明】
【０００１】
【発明が属する技術分野】
本発明は、無線通信システムに用いるためのベーストランシーバーステーション（ＢＴＳ：Ｂａｓｅ  Ｔｒａｎｓｃｅｉｖｅｒ  Ｓｔａｔｉｏｎ）に関し、より詳細には、ＢＴＳの各セクターに固定周波数割り当て（Ｆｒｅｑｕｅｎｃｙ  Ａｌｌｏｃａｔｉｏｎ）及び動的周波数割り当てを行う周波数割り当てシステム、ベースステーションおよびその方法に関する。
【０００２】
周知のように、無線通信システムは、サービス領域に亘って分散された多数のベースステーション（ＢＳ：Ｂａｓｅ  Ｓｔａｔｉｏｎ）を含んでいる。各々のＢＳは、少なくとも一つのアンテナ及びＢＴＳを含み、各々のセルに無線サービスを提供する。各々のベースステーションコントローラ（ＢＳＣ：Ｂａｓｅ  Ｓｔａｔｉｏｎ  Ｃｏｎｔｒｏｌｌｅｒ）が多数のＢＴＳをサービスする間、ＢＴＳは、ＢＳＣに連結される。ＢＳＣは、パブリックスィッチテレフォンネットワーク（ＰＳＴＮ：Ｐｕｂｌｉｃ  Ｓｗｉｔｃｈｅｄ  Ｔｅｌｅｐｈｏｎｅ  Ｎｅｔｗｏｒｋ）及び他のモバイルスイッチングセンター（ＭＳＣ：Ｍｏｂｉｌｅ  Ｓｗｉｔｃｈｉｎｇ  Ｃｅｎｔｅｒ）とインターフェースするＭＳＣにまた連結される。ＢＴＳ、ＢＳＴ及びＭＳＣと共に各々のサービス領域内に動作するように移動端末器（ＭＳ：Ｍｏｂｉｌｅ  Ｓｔａｔｉｏｎｓ）に無線カバレッジ（Ｗｉｒｅｌｅｓｓ  Ｃｏｖｅｒａｇｅ）を提供する無線ネットワークを形成する。例えば、ＭＳがＢＴＳ内のサービス領域にあれば、ＭＳからのコール（Ｃａｌｌ）はＢＴＳにより受信されてＢＳＣに送られる。次いで、コールは、ＭＳＣに伝達される。コールが処理された後、その処理された情報は、ＢＳＣ及びＢＴＳを介して他のＭＳに伝達される。
【０００３】
ＭＳからコールが発生されるか受信されれば、コールは、ＢＴＳまたはＢＳＣに信号として伝達される。結局、ＭＳＣがコールを受信することとなる。ＢＴＳの役割は、ＭＳとＢＳＣとの間の通信が可能にするのである。ＢＳＣと関連してＢＴＳは、上述したプロセスがＭＳを転換させるか、ランディング信号を発生させるようにする。ＢＳＣは、ＢＴＳとＭＳＣとの間の通信を可能にする。プロセシングされた情報は、ＢＳＣと通信して受信するＭＳが送信するＭＳと通信できるようにする。
【０００４】
ＢＴＳは、少なくとも一つのアンテナ、例えば、アンテナアレイとデュプレックサーのような無線装備（Ｒａｄｉｏ  Ｅｑｕｉｐｍｅｎｔ）とを備える。
一般に、ＢＴＳは、セル領域を多数個のセクターに分割して管轄することにより、效率的に無線周波数（ＲＦ；  Ｒａｄｉｏ  Ｆｒｅｑｕｅｎｃｙ）信号を出す。そして、多数の周波数割り当てが各セクターに割り当てられる。
【０００５】
図１は、従来の周波数割り当てシステムを示す例のダイヤグラムであり、ＢＴＳが複数のセクターに分かれ、各セクターが周波数割り当てを行うようになっている。即ち、周波数割り当ては、図１に示したように固定される。周波数割り当てシステムは、固定された合成器（１１〜１６）のアレイ１０及び電力分配器／合成器アレイ２０を備えている。そして、電力分配器／合成器アレイ２０は、複数の固定分配器３１〜３６、複数のマルチキャリア電力増幅器（ＭＣＰＡｓ；  Ｍｕｌｔｉ−Ｃａｒｒｉｅｒ  Ｐｏｗｅｒ  Ａｍｐｌｉｆｉｅｒｓ）：Ｍ１１〜Ｍ１４、Ｍ２１〜Ｍ２４、Ｍ３１〜Ｍ３４、Ｍ４１〜Ｍ４４、Ｍ５１〜Ｍ５４、Ｍ６１〜Ｍ６４及び複数の固定合成器２１〜２６を有している。
【０００６】
このようなシステムにおいて、サービス領域をカバーできるように、ＢＴＳは、６個のセクターから構成され、各々が最大コール処理スキーム（Ｍａｘｉｍｕｍ  Ｃａｌｌ  Ｈａｎｄｌｉｎｇ  Ｓｃｈｅｍｅ）を行うため、４つの周波数割り当て：ＦＡ＃１、ＦＡ＃２、ＦＡ＃３、ＦＡ＃４を各々のセクターに行わせる。従って、ＢＴＳは、サービス領域をカバーするため、２４個の周波数割り当てが必要となる。
【０００７】
しかし、各セクターコール処理要求は、常に最大となることではない。各セクターが最大コール処理スキームを行うため、装備が效率的に用いられず、前端装備のコストが高くなり、伝送装備の大きさが増加する種々の問題が生じることとなる。
【０００８】
さらに、ＢＴＳカバー領域は、いくつかのセクターの容量が最大に占められ、他のセクターが最大に占められなかった場合、非効率的である。これは、周波数割り当てが各セクターで固定されるため（すなわち、周波数割り当てが他のセクターを共有し得ないためである）であり、最大容量を用いているセクターはそれ以上のコールを受けることができないためである。周波数割り当てを共有するには、基本的なスイッチを用いらることができる。しかし、基本的なスイッチを用いて周波数割り当てが共有される場合、各周波数割り当てに対する増幅は、各セクターで変化され、交替に、ＢＴＳのサービスカバレッジ領域を変化させ、これはＢＴＳが動作できないようにする。
【０００９】
【発明が解決しようとする課題】
本発明の目的は、スイッチング可能な電力分配器／合成器を利用して、ＢＴＳの各セクターに固定周波数割り当て及び可変周波数割り当てを選択的に行うことによって、セクターが動的周波数割り当てを可変的に共有し、これによって従来のＢＴＳと比較してマルチキャリア電力増幅器の個数を減らし得る周波数割り当てシステムを提供することにある。
【００１０】
また、本発明は、固定周波数割り当て及び可変周波数割り当てをＢＴＳの各セクターに選択的に割り当てることのできる周波数割り当てシステムを有するＢＴＳを提供することもその目的とする。
【００１１】
【課題を解決するための手段】
上記目的を達成するため、本発明は、移動通信システム（Ｍｏｂｉｌｅ  Ｃｏｍｍｕｎｉｃａｔｉｏｎ  Ｓｙｓｔｅｍ）に用いるＢＴＳ内のＮ個のセクター（Ｎは正の整数）に周波数割り当てるためのシステムにおいて、動的周波数割り当ての個数と固定周波数割り当ての個数を決定する手段と、マルチキャリア出力増幅器（Ｍｕｌｔｉ−Ｃａｒｒｉｅｒ  Ｐｏｗｅｒ  Ａｍｐｌｉｆｉｅｒｓ）を備えた電力分配器／合成器のアレイと、上記動的周波数割り当てを上記マルチキャリア出力増幅器にセクター間で相互にスイッチング可能に連結する手段とを含む周波数割り当てシステムを提供する。
【００１２】
また、Ｎ個のセクター（Ｎは正の整数）に周波数割り当てるためのベースステーションにおいて、Ｎ個のセクターをＭ個（Ｍは正の整数）の小グループに分け、さらに小グループに対して動的周波数割り当て個数Ｄと固定周波数割り当て個数Ｆを決定するコントローラと、動的周波数割り当てを合成器アレイに選択的にスイッチングするＤ個の第１スイッチと、上記各々の小グループの上記動的周波数割り当て個数Ｄと固定周波数割り当て個数Ｆを合成し、Ｄ個の出力信号を出す合成器と、Ｄ個のセクター間で相互にスイッチング可能な電力分配器／合成器とを含み、上記スイッチング可能な電力分配器／合成器がマルチキャリア出力増幅器を備え、上記動的周波数割り当てをマルチキャリア出力増幅器にセクター間で相互にスイッチング可能に連結し、入力される信号を同じ電力レベルに増幅することを特徴とする無線通信システムにおける周波数割り当てベースステーションを提供する。
【００１３】
また、本発明は、無線通信システムに用いるＢＴＳ内のＮ個のセクター（Ｎは正の整数）に周波数を割り当てる方法において、ａ）加入者情報に基づいて、Ｎ個のセクターをＭ個の小グループ（Ｍは正の整数）に分けるステップと、ｂ）上記加入者情報に基づいて、上記各々の小グループに対して動的周波数割り当て個数ｄ及び固定周波数割り当て個数ｆを決定するステップと、ｃ）スイッチの個数、セクター間で相互にスイッチング可能な電力分配器／合成器の個数及び上記動的周波数割り当て個数、及び上記固定周波数割り当て個数に基づいて、端子数を設定するステップを含む周波数割り当て方法を提供する。
【００１４】
【発明の実施の形態】
以下、図面を参照して本発明の実施の形態を説明する。
【００１５】
図２〜１０は、本発明の好ましい実施例に係わる無線通信に用いる周波数割り当てシステムの図面、及びこれを実施するための方法を示したフローチャートである。
【００１６】
図２は、ＩＭＴ２０００システムに用いるため、ＢＴＳ内に設置されるアンテナアレイ２８０と周波数割り当てシステム２００及びＭＳＣ２９２の概略を示す図である。周波数割り当てシステム２００は、第１セットのスイッチ２２０、合成器アレイ２３０、コントローラ２９０及びスイッチング可能な電力分配器／合成器アレイ２５０を含む。基本的な無線システムにおいて、互いに異なる位置にいる人との間の通信は、ＭＳＣ、ＢＳＣ、ＢＴＳ及びＭＳによって可能となる。ＢＴＳは、ＢＳＣから信号を受信し、ＭＳ及びＢＳＣ間の通信を通じて、人が通話しデータを送信し得るようにする。本発明の原理は、またＷＬＬ（Ｗｉｒｅｌｅｓｓ  Ｌｏｃａｌ  Ｌｏｏｐ）、Ｂ−ＷＬＬ（Ｂｒｏａｄｂａｎｄ  Ｗｉｒｅｌｅｓｓ  Ｌｏｃａｌ  Ｌｏｏｐ）、ＴＲＳ（Ｔｕｎｋｅｄ  Ｒａｄｉｏ  Ｓｙｓｔｅｍ）、ＣＤＭＡ（Ｃｏｄｅ  Ｄｉｖｉｓｉｏｎ  Ｍｕｌｔｉ−Ａｃｃｅｓｓ）セルラー、ＰＣＳ（Ｐｅｒｓｏｎａｌ  Ｃｏｍｍｕｎｉｃａｔｉｏｎ  Ｓｙｓｔｅｍ）、ＩＴＳ（Ｉｎｔｅｌｌｉｇｅｎｔ  ＴｒａｎｓｐｏｒｔａｔｉｏｎＳｙｓｔｅｍ）及びその他の標準に応じた他の無線通信システムに応用できる。
【００１７】
周波数割り当てシステム２００において、コントローラ２９０は、多数の制御信号を発生させ、発生された制御信号各々は、小グループの数に対する情報、対応する小グループに割り当てられた動的周波数割り当て個数及び固定周波数割り当て個数を含む。コントローラ２９０は、ラインＬ３を介して制御信号をスイッチアレイ２２０に提供し、ラインＬ４を介してスイッチング可能な電力分配器／合成器アレイ２５０に提供する。このような制御信号は、ターゲットＢＴＳの各セクターに対するコール要求信号（Ｃａｌｌ  Ｒｅｑｕｅｓｔ  Ｓｉｇｎａｌ）から得られるか、またはターゲットＢＴＳの各セクター内に位置する加入者の数から得られる。コール要請信号及び加入者の数は、ラインＬ２を介してＭＳＣから得ることができる。周波数割り当てシステム２００が動作する間、コントローラ２９０が本来の機能をする限り、本発明はコントローラ２９０の位置に限定されない。コントローラ２９０はＢＴＳの動作を制御するＢＣＰ（ＢＴＳ  Ｃｏｎｔｒｏｌ  Ｐｒｏｃｅｓｓｏｒ）内に設置されるけれども、コントローラ２９０は、いくつかのＢＴＳを制御するＢＳＣ、周波数制御、周波数割り当て及びコール信号処理を含むＢＳＣの動作を制御するＣＣＰ（Ｃａｌｌ  Ｃｏｎｔｒｏｌ  Ｐｒｏｃｅｓｓｏｒ）内に設置することもできる。ＢＴＳが各セクター内で移動端末器を用いる加入者の数が分かるため、周波数割り当ては、コール号処理が多いかコール要求が潜在的に多いターゲットセクターにスイッチングされることが可能である。本発明によれば、周波数割り当てシステム２０００がＣＣＰと通信し、加入者情報を有しているＢＣＰ信号をＢＣＰから受信することにより、周波数割り当てシステム２００が選択的にスイッチングされることができる。
【００１８】
第１セットのスイッチ２２０は、ラインＬ３を介して伝送される制御信号に基づいて、動的周波数割り当てを合成器アレイ２３０に選択的にスイッチングする。合成器アレイ２３０は、スイッチングされた動的周波数割り当て及び固定周波数割り当てを合成し、その合成された信号を、ラインＬ６を介してスイッチング可能な電力分配器／合成器アレイ２５０に出力する。スイッチング可能な電力分配器／合成器アレイ２５０は、合成された信号を増幅し、その増幅された信号を、ラインＬ７を介してアンテナアレイ２８０に伝送する。アンテナアレイ２８０は、増幅された信号を無線周波数（ＲＦ；Ｒａｄｉｏ  Ｆｒｅｑｕｅｎｃｙ）に変換し、ＲＦ信号を、ラインＬ８を介してＢＴＳ内の各セクターに送る。
【００１９】
図３には、本発明の第一実施例にＩＭＴ２０００システムに応用するためのアンテナアレイ２８０及び周波数割り当てシステム２０００の詳細図を示す。ここで、各ＢＴＳ内のセクターＳ１〜Ｓ６の数は、ＩＭＴ２０００システムに用いるため、６に決定され、アンテナ装備、例えば、２８１、及び無線装備が各セクター内に設置される。図３には３個の動的周波数割り当て構成を示しているが、動的周波数割り当てをデザインするのにはいくつかの構成が可能である。
【００２０】
合成器アレイ２３０は、固定合成器２３１〜２３６アレイ及び多数の絶縁抵抗ＩＳ０１〜ＩＳＯ２４を有している。スイッチング可能な電力分配器／合成器アレイ２５０は、スイッチング可能な分配器２４１〜２４６、第２セットのスイッチ２５１〜２５６、ＭＣＰＡ：Ｍ１〜Ｍ１２、第３セットのスイッチ２６１〜２６６及びスイッチング可能な合成器２７１〜２７６を有している。
【００２１】
好ましい実施の形態では、ＢＴＳは６個のセクターに分配され、全体周波数割り当ての個数は１２であり、６個のセクターは第１小グループＳ１〜Ｓ３及び第２小グループＳ４〜Ｓ６にグルーピングされる。第１グループにおいて、１個の固定周波数割り当て：ＦＡ＃１及び３個の動的周波数割り当て：ＦＡ＃２、ＦＡ＃３、ＦＡ＃４がセクターＳ１に行わせ、２個の固定周波数割り当て：ＦＡ＃１は、セクターＳ２、Ｓ３に各々行わせる。一方、１個の固定周波数割り当て：ＦＡ＃１及び２個の動的周波数割り当て：ＦＡ＃２、ＦＡ＃３は、セクターＳ４に行わせ、１個の固定周波数割り当て：ＦＡ＃１及び一個の動的周波数割り当て：ＦＡ＃４は、セクターＳ５に行わせ、１個の固定周波数割り当て：ＦＡ＃１は、セクターＳ６に行わせる。スイッチング可能な分配器２４１〜２４６及び合成器２７１〜２７６の全ては、最大動作モードから４−ウェイに動作するように設計される。スイッチング可能な分配器２４１〜２４３及び合成器２７１〜２７３は、信号を分配または合成するためウェイの数を変更し得る。従って、たとえスイッチング可能な分配器２４１〜２４３及びスイッチング可能な合成器２７１〜２７３が最大動作モードにおいて４−ウェイに動作するとしても、これらは、性能の低下なしに３−ウェイ、２−ウェイまたは１−ウェイに動作できる。例えば、これらの中で一つが３−ウェイに動作すれば、経路中の１個は完全に遮断され、これは本来の動作モードが３−ウェイであるように動作する。また、スイッチ２０１〜２０６及び２６１〜２６６各々が１個の入力端及び３個の出力端を有し、スイッチ２５１〜２５６各々が１個の出力端及び３個の入力端を有する。すなわち、これらのスイッチは、１個のポール（Ｐｏｌｅ）、３個のスロー（Ｔｈｒｏｗ）（ＳＰ３Ｔ）を有する同軸スイッチである。ＳＰ３Ｔは、１個の信号を３個の信号経路のいずれか一つに出力（１：３）されるか、３個の信号経路からいずれか一つの経路（３：１）に出力されるようにするのである。
【００２２】
図４には、図３の第１小グループの動作状態を示す。
【００２３】
この場合、固定周波数割り当て：ＦＡ＃１の個数は３であり、動的周波数割り当て：ＦＡ＃２、ＦＡ＃３、ＦＡ＃４の個数は３である。固定周波数割り当て：ＦＡ＃１の各々は、絶縁抵抗ＩＳＯ１、ＩＳＯ５、ＩＳＯ９を介して固定合成器２３１、２３２、２３３の各々に割り当てられるのに対し、動的周波数割り当て：ＦＡ＃２、ＦＡ＃３、ＦＡ＃４の各々は、スイッチ２０１、２０２、２０３によって固定合成器２３１、２３２、２３３に選択的に行わせる。この場合、スイッチ２０１は、動的周波数割り当て：ＦＡ＃２をアイソレーション抵抗ＩＳＯ２を介して固定合成器２３１に連結し、スイッチ２０２は、動的周波数割り当て：ＦＡ＃３を、アイソレーション抵抗ＩＳＯ３を介して固定合成器２３１に連結し、スイッチ２０３は、動的周波数割り当て：ＦＡ＃４を、アイソレーション抵抗ＩＳＯ４を介して固定合成器２３１に連結する。
【００２４】
固定合成器２３１において、入力される固定周波数割り当て：ＦＡ＃１と動的周波数割り当て：ＦＡ＃２、ＦＡ＃３、ＦＡ＃４は合成され、その合成された信号をスイッチング可能な分配器２４１に出力する。合成された信号は、４個の分配された信号に分配され、第１分配された信号は、ＭＣＰＡ：Ｍ１に入力され、第２分配された信号は、スイッチ２５１を介してＭＣＰＡ：Ｍ２に入力され、第３分配された信号は、スイッチ２５２を介してＭＣＰＡ：Ｍ４に入力され、第４分配された信号は、スイッチ２５３を介してＭＣＰＡ：Ｍ６に入力される。
【００２５】
このステップにおいて、各周波数割り当ては、各アイソレーション抵抗ＩＳＯ１〜ＩＳＯ１２で同じ入力動作電圧レベル（１ＰＷ）を有し、ここで、ＰＷは、動作電力レベルを意味する。例えば、ＭＣＰＡ：Ｍ１の前端で、動作電力レベルは、１ＰＷであって、固定合成器２３１の出力信号は、４ＰＷ（＝ＦＡ＃１の１ＰＷ＋ＦＡ＃２の１ＰＷ＋ＦＡ＃３の１ＰＷ＋ＦＡ＃４の１ＰＷ）であり、出力信号は、１／４に分けられて対応するＭＣＰＡに入力される。従って、動作電力レベルはＭＣＰＡｓ：Ｍ１〜Ｍ６の各入力端で１ＰＷであり、もしＭＣＰＡ利得がＧであれば、ＭＣＰＡ：Ｍ１、Ｍ２、Ｍ３、Ｍ６を過ぎた後、動作電圧レベルは１ＰＷ×Ｇとなる。
【００２６】
一方、固定合成器２３２、２３３において固定周波数割り当て：ＦＡ＃１は、スイッチング可能な分配器２４２、２４３を介してＭＣＰＡ：Ｍ３、Ｍ５に各々伝達されることとなる。ＭＣＰＡ：Ｍ３、Ｍ５を通過した後、動作電力レベルは、各々（ＦＡ＃１の１ＰＷ）×Ｇとなる。
【００２７】
すなわち、１個のセクターに１個、または４個の周波数が割り当てられても、各周波数割り当ては同じ出力電力レベルでセクターに伝達されることによって、サービスカバレッジ領域が変わらないこととなる。また、位相遅延器を合成器アレイ２３０内に設置することによって、各ＭＣＰＡは、同じ振幅、位相及び周波数を有する出力信号を送ることができる。
【００２８】
ＭＣＰＡ：Ｍ１、Ｍ２、Ｍ３は、入力される信号を増幅し、その増幅された信号をスイッチング可能な合成器２７１、２７２、２７３に出力する。ＭＣＰＡ：Ｍ２、Ｍ４、Ｍ６は、また入力される信号を増幅し、その増幅された信号をスイッチ２６１、２６２、２６３を介してスイッチング可能な合成器２７１に各々伝送する。
【００２９】
スイッチング可能な合成器２７１は、４−ウェイに動作するのに対し、スイッチング可能な合成器２７２、２７３は、１−ウェイに動作する。スイッチング可能な合成器２７１、２７２、２７３の各出力端で、出力信号の電力レベルは、互いに同じである。
【００３０】
図６には、本発明に用いられるスイッチング可能な電力分配器／合成器３００の概略図を示す。スイッチング可能な電力分配器／合成器３００は、入／出力端３３２、第１伝送線３４０、第２伝送線３５６、アイソレーション抵抗３５０、第１スイッチ３３６及び第２スイッチ３５４を有する。スイッチング可能な分配器／合成器３００は、便宜上４−ウェイ動作モードとして記載されている。スイッチング可能な分配器／合成器３００は、入力及び出力端子の選択に応じて、スイッチング可能な分配器、例えば、２４１、またはスイッチング可能な合成器、例えば、２７１として動作されることもできる。もし、端子３３２がＲＦ信号を受信するための入力端子として選択されれば、スイッチング可能な電力分配器／合成器３００は、信号を４個の出力信号に同一に分配するための分配器として作動する。一方、スイッチング可能な電力分配器／合成器３００が、合成器として動作する場合、４端子３４６が４個のＲＦ入力信号を合成するための入力端子として用いられ、合成された出力が端子３３２に出力されることとなる。従って、“分配器”、“合成器”という用語は、“入力”及び“出力”に応じて、多少任意的に用いられるため、“入力”及び“出力”が用いられる内容に応じて変更して用いることができる。スイッチング可能な電力分配器／合成器３００は、本出願の同一出願人によって１９９９年２月１６日特許された米国特許第５、８７２、４９１号に詳細に記述されている。
【００３１】
また、図４を参照すれば、スイッチング可能な合成器２７１、２７２、２７３から出力された信号は、アンテナ２８１、２８２、２８３に各々伝送され、各セクターＳ１、Ｓ２、Ｓ３に放射されるため、ＲＦ信号に変換される。
【００３２】
図５を参照して、図３の第２小グループの動作状態を示す。
【００３３】
この場合、固定周波数割り当て：ＦＡ＃１の個数は３であり、動的周波数割り当て：ＦＡ＃２、ＦＡ＃３、ＦＡ＃４の個数も３である。固定周波数割り当て：ＦＡ＃１各々は、アイソレーション抵抗ＩＳＯ１３、ＩＳＯ１７、ＩＳＯ２１を介して、固定合成器２３４、２３５、２３６に各々割り当てられる。スイッチ２０４は、動的周波数割り当て：ＦＡ＃２をアイソレーション抵抗ＩＳＯ１４を経由して固定合成器２３４に連結し、スイッチ２０５は、動的周波数割り当て：ＦＡ＃３をアイソレーション抵抗ＩＳＯ１５を経由して固定合成器２３４に連結し、スイッチ２０６は、動的周波数割り当て：ＦＡ＃４をアイソレーション抵抗ＩＳＯ２０を経由して固定合成器２３５に連結する。
【００３４】
固定合成器２３４において、入力される固定周波数割り当て：ＦＡ＃１と動的周波数割り当て：ＦＡ＃２、ＦＡ＃３は合成され、第１合成された信号をスイッチング可能な分配器２４４に出力する。第１合成された信号は、３個の信号に分配され、第１分配された信号は、ＭＣＰＡ：Ｍ７に入力され、第２分配された信号は、スイッチ２５４を介してＭＣＰＡ：Ｍ８に入力され、第３分配された信号は、スイッチ２５５を介してＭＣＰＡ：Ｍ１０に入力される。固定合成器２３５において、入力される固定周波数割り当て：ＦＡ＃１と動的周波数割り当て：ＦＡ＃４は合成されて、第２合成された信号に出力される。第２合成された信号は、スイッチング可能な分配器２４５を介して二個の分配された信号に分配され、この中で一個はＭＣＰＡ：Ｍ９に入力され、残りの一個はスイッチ２５６を介してＭＣＰＡ：Ｍ１２に入力される。一方、固定合成器２３６において、固定周波数割り当て：ＦＡ＃１は、スイッチング可能な分配器２４６を介してＭＣＰＡ：Ｍ１１に伝送される。
【００３５】
ＭＣＰＡ：Ｍ７、Ｍ９、Ｍ１１は、その自体に入力される信号を増幅し、増幅された信号をスイッチング可能な合成器２７４、２７５、２７６に出力する。ＭＣＰＡ：Ｍ８、Ｍ１０は、またその自体に入力される信号を増幅し、その増幅された信号を第３セット内のスイッチ２６４、２６５、２６６を介してスイッチング可能な合成器２７４に各々伝送する。ＭＣＰＡ：Ｍ１２は、その自体に入力される信号をまた増幅し、その増幅された信号を、スイッチ２６６を介してスイッチング可能な合成器２７５に伝送する。
【００３６】
スイッチング可能な合成器２７４、２７５は、３−ウェイ及び２−ウェイで各々動作するのに対し、スイッチング可能な合成器２７６は、１−ウェイで動作する。スイッチング可能な合成器２７４、２７５、２７６の出力端の各々において、周波数割り当ての電力レベルは、互いに同じである。他の動作スキームは、図４に示した第１小グループのそれと同じである。
【００３７】
スイッチング可能な合成器２７４、２７５、２７６から出力された信号は、アンテナ２８４、２８５、２８６に各々伝送され、セクターＳ４、Ｓ５、Ｓ６各々に放射するためのＲＦ信号で変換される。
【００３８】
第一実施例と同じシステムを構成するため、２４個の周波数割り当てが必要な従来の周波数割り当てシステムとこれを実施するための方法とを比較すると、本発明の第一実施例は、１２個の周波数割り当てにより同じ領域をカバーすることにより、ＭＣＰＡ、周波数変調器／復調器、周波数上向器／下向器及び関連された他の装備を画期的に低減することとなった。本発明において、ＢＴＳが各セクターで動的周波数割り当てをスイッチング可能に共有するが、各周波数割り当てに対する最終出力レベルが振幅において同一であるため、ＢＴＳのサービスカバレッジ領域は、変化しない。
【００３９】
図７には、総周波数割り当ての個数が１８であり、１８個の周波数割り当てが６個の小グループに分けられ、各々の小グループは、３個の周波数割り当てＳを有する本発明の第２実施例にかかるシステム図を示す。
【００４０】
第２実施例において、周波数割り当てシステムは、第１セット７２０のスイッチ７０１〜７０６、合成器７３１〜７３６、アレイ７３０、スイッチング可能な電力分配器／合成器アレイ７５０及びコントローラ（図示していない）を含む。スイッチング可能な電力分配器／合成器アレイ７５０は、スイッチング可能な分配器７４１〜７４６、第２セットのスイッチ７５１〜７５６、ＭＣＰＡ：Ｍ７１〜Ｍ８８アレイ、第３セットのスイッチ７６１〜７６６及びスイッチング可能な合成器７７１〜７７６アレイを備える。スイッチ、７０１〜７０６、７５１〜７５６及び７６１〜７７６全ては、１個の信号を２個の信号経路のいずれか一つに送るか（１：２）、２個の信号経路からくる信号を一個の信号経路（１：２）に送ることができる。そして、スイッチング可能な分配器７４１〜７４６及びスイッチング可能な合成器７７１〜７７６は、最大動作モードにおいて４−ウェイに動作する。
【００４１】
制限された周波数において、ＢＴＳの総周波数割り当ての数は、無線通信システムの諸般の要件に基づいて決定される。固定周波数割り当て及び動的周波数割り当ては、総周波数割り当て：＃内のいくつかの組合により構成することができる。もし、周波数割り当ての数をＢＴＳの設計初期にカバレッジ領域に対して推定できるならば、システム初期に全体システム投資を画期的に減らすことができる。また、従来の構成と比較してＢＴＳを経済的かつ效率的に構築できる。周波数割り当てシステムは、例えば、本発明の第一または第二実施例のように、多様なスキームの中から最適の構成をシステムの諸般要件に基づいて選択し得る。
【００４２】
図８は、本発明の第３実施例によってＮ個のセクターをＭ個の小グループに分けたＮセクターの基本構造を示す。ここで、Ｎは正の整数であり、Ｍは１である。もし、第１及び第２実施例の基本動作プロセスを理解したならば、Ｎ個の動的周波数割り当てを有するＮセクターに対して理解し得るだろう。
【００４３】
もし、ＢＴＳがＮ個のセクターに分けられ、さらに複数個の小グループに分けられれば、動的周波数割り当て個数及び固定周波数割り当て個数は、各々の小グループに対して動的周波数割り当て個数ｄ＃及び固定周波数割り当て個数ｆ＃により決定され、全体周波数割り当て個数はｄ＃とｆ＃の和となる。各々の小グループにおいて、固定合成器の個数、スイッチング可能な合成器の個数及びスイッチング可能な分配器の個数は、ｄ＃と同じとなる。また、各スイッチにおける入力端子、または出力端子の個数もｄ＃と同じとなる。
【００４４】
本発明によれば、各々の小グループにおいて、ＭＣＰＡの個数は、全体周波数割り当て個数により決定される。そしてまた、一つの固定合成器に対する入力端子の個数は、次のように決定される；
ｋ＝ｆ＃／ｄ＃＋ｄ＃
ここで、ｋは一つの固定合成器に対する入力端子の個数である。従って、もしＮ、ｄ＃、ｆ＃及び小グループの個数が決定されれば、本発明の周波数割り当てシステムは、動的周波数割り当てをスイッチング可能に行わせるように自動的に構築することができる。
【００４５】
図９は、いくつかの関連した装置の概略的なブロック図を示す。
【００４６】
典型的に、ＢＴＳに周波数を割り当てるため、ＢＴＳは各周波数当たりのインコーダー（Ｅｎｃｏｄｅｒ）９１０、変調器９２０及び上向器９３０があるべきであった。従って、本発明は、ＢＴＳに割り当てられる全体周波数の個数を低減させながらも同じサービス領域をカバーできるため、このような関連した装置を低減することができる。すなわち、システムロールアウト（Ｒｏｌｌｏｕｔ）から全体システム投資費用を画期的に低減し得る。そして、従来の技術の構成に構成する場合、必要な装置及び費用に比べて、本発明のＢＴＳは、経済的かつ效率的に構築することができる。
【００４７】
図１０は、本発明にかかる周波数割り当てシステムの動作を示すフローチャートである。周波数割り当てシステムは、無線通信システムに用いられるＢＴＳ内サービス領域のＮ個のセクターに周波数を割り当てる。Ｎは、無線通信の諸般条件に基づいて決定される。
【００４８】
ステップＳ１０１０において、コントローラは、加入者情報を受信するためＭＳＣと通信する。次いで、ステップＳ１０２０でコントローラは、加入者情報に基づいて、Ｎセクターを多数個の小グループに分ける。ステップＳ１０３０でコントローラは、加入者情報に基づいて、各々の小グループに対する動的周波数割り当て個数であるｄ＃と固定周波数割り当て個数であるｆ＃とを決定する。従って、ステップＳ１０４０でスイッチの個数、固定合成器（Ｆ／Ｃ）の個数及びＭＣＰＡの個数は、ｄ＃及びｆ＃に基づいて設定する。
【００４９】
本発明は、またＵＮＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）のような他の次世代無線通信システムに設置することができる。
【００５０】
以上、本発明を好ましい実施形態を挙げて説明したが、この実施形態に限定されることなく、本発明の技術思想の範囲内で種々の実施形態が可能である。
【００５１】
【発明の効果】
本発明によれば、本発明のＢＴＳは、サービスカバレッジ領域の犠牲なしに動的周波数割り当てをコール処理量が多いか、潜在的にコール要求の多いＢＴＳのセクターにスイッチングすることができる。
【図面の簡単な説明】
【図１】６個のセクターから構成され、各々が４周波数割り当てを行うＢＴＳ内に具備された従来の周波数割り当てシステムの例を示す図である。
【図２】本発明にかかるＢＴＳ及びＭＳＣを示した概略を示した図である。
【図３】本発明の第１実施例に係るＩＭＴ２０００システムに適用するためのアンテナアレイ及び周波数割り当てシステムの詳細図である。
【図４】図３の第１小グループの動作状態を示す図面である。
【図５】図３の第２小グループの動作状態を示す図面である。
【図６】本発明に用いられるスイッチングが可能な電力分配器／合成器の概略図である。
【図７】本発明の実施例によってサービス領域を６セクターに分け、全体周波数割り当て個数を１８個に決定し、１８個の周波数割り当てを３個の周波数割り当てずつ６個にグループ分けした周波数割り当てシステムのシステム図である。
【図８】一つの小グループ内でＮ個のセクターをＮ個のセクターにグループ分けした概略図である。
【図９】関連装置の概略的なブロック図である。
【図１０】本発明にかかる周波数割り当ての動作を示すフローチャートである。
【符号の説明】
１０：アレイ
１１〜１６：合成器
２０：電力分配器／合成器アレイ
２１〜２６：固定合成器
３１〜３６：固定分配器
ＦＡ＃１〜ＦＡ＃４：周波数割り当て
Ｍ１１〜Ｍ６４：マルチキャリア電力増幅器（ＭＣＰＡ）
２００：周波数割り当てシステム
２２０：スイッチアレイ
２３０：合成器アレイ
２５０：スイッチング可能な電力分配器／合成器アレイ
２８０：アンテナアレイ
２９０：コントローラ
２９２：モバイルスイッチングセンター（ＭＳＣ）
Ｓ１〜Ｓ６：ＢＴＳ内のセクター
２０１〜２０６：スイッチ
２３１〜２３６：固定合成器
２４１〜２４６：スイッチング可能な分配器
２５１〜２５６：スイッチ
２６１〜２６６：スイッチ
２７１〜２７６：合成器
２８１〜２８６：各アンテナアレイ
ＩＳ０１〜ＩＳＯ２４：絶縁抵抗
３００：スイッチング可能な電力分配器／合成器
３３２：入／出力端
３３６：第１スイッチ
３４０：第１伝送線
３５６：第２伝送線
３４６：端子
３５０：アイソレーション抵抗
３５４：第２スイッチ
７０１〜７０６：スイッチ
７２０：第１セット
７３０：アレイ
７３１〜７３６：合成器
７４１−７４６：スイッチング可能な分配器
７５０：スイッチング可能な電力分配器／合成器アレイ
７５１〜７５６：スイッチ
７６１〜７６６：スイッチ
７７１〜７７６：スイッチ
７８１〜７８６：アンテナ
Ｍ７１〜Ｍ８８：ＭＣＰＡ
８０１〜８０６：スイッチ
８２０：第１セット
８３０：アレイ
８３１〜８３６：合成器
８４１−８４６：スイッチング可能な分配器
８５０：スイッチング可能な電力分配器／合成器アレイ
８５１〜８５６：スイッチ
８６１〜８６６：スイッチ
８７１〜８７６：スイッチ
８８１〜８８６：アンテナ
Ｍ１〜Ｍ２Ｎ：ＭＣＰＡ
９１０：インコーダー
９２０：変調器
９３０：上向器
【図１】
0004100537.tif 000002
【図２】
0004100537.tif 000003
【図３】
0004100537.tif 000004
【図４】
0004100537.tif 000005
【図５】
0004100537.tif 000006
【図６】
0004100537.tif 000007
【図７】
0004100537.tif 000008
【図８】
0004100537.tif 000009
【図９】
0004100537.tif 000010
【図１０】
0004100537.tif 000011